(57)【要約】【課題】記録媒体のどの半径位置においても最適な記録信号Ｓ／Ｎ比を得られ、トラック方向の記録特性が向上した磁気記録ヘッドおよびこれを備えたディスク装置を提供する。【解決手段】実施形態によれば、磁気記録ヘッドは、ディスク状の記録媒体１６の記録層に対向する媒体対向面と、媒体対向面に一部が露出して設けられ、記録媒体を加熱する近接場光を発生する近接場光発生素子６５と、媒体対向面に露出する先端面６０ａと近接場光発生素子に対向する磁極端面６０ｂとを有し、記録媒体の記録層に記録磁界を印加する磁極６０と、を備えている。媒体対向面において、磁極端面６０ｂは、近接場光発生素子の中心を通り媒体対向面の長手方向に延びる中心軸線に対して非対称に形成されている。【選択図】図４
2015082334.tif 000002
【特許請求の範囲】
【請求項１】
ディスク状の記録媒体の記録層に対向する媒体対向面と、
前記媒体対向面に一部が露出して設けられ、前記記録媒体を加熱する近接場光を発生させる近接場光発生素子と、
前記媒体対向面に露出する先端面と前記近接場光発生素子に対向する磁極端面とを有し、前記記録媒体の記録層に記録磁界を印加する磁極と、を備え、
前記媒体対向面において、前記磁極端面は、前記近接場光発生素子の中心を通り前記媒体対向面の長手方向に延びる中心軸線に対して非対称に形成されている磁気記録ヘッド。
【請求項２】
前記磁極端面は、前記媒体対向面の長手方向と直交する平面に対して、傾斜して延びている請求項１に記載の磁気記録ヘッド。
【請求項３】
前記磁極端面は平坦面である請求項２に記載の磁気記録ヘッド。
【請求項４】
前記磁極端面は、湾曲面である請求項２に記載の磁気記録ヘッド。
【請求項５】
前記磁極端面は、前記中心軸線に対して前記記録媒体の内周側に位置する第１領域と、前記中心軸線に対して前記記録媒体の外周側に位置する第２領域とを有し、前記第１領域は、前記近接場光発生素子の中心から離れる方向に傾斜し、前記第２領域は、前記近接場光発生素子の中心に近付く方向に傾斜している請求項３又は４に記載の磁気記録ヘッド。
【請求項６】
前記直交する平面に対する前記第１領域の傾斜角度と、前記第２領域の傾斜角度とは、互いに異なる請求項５に記載の磁気記録ヘッド。
【請求項７】
前記直交する平面に対する前記第１領域の傾斜角度は、前記直交する平面に対する前記第２領域の傾斜角度よりも小さい請求項６に記載の磁気記録ヘッド。
【請求項８】
前記直交する平面に対する前記第１領域の傾斜角度は、前記中心軸線から離れるに従って小さくなり、前記直交する平面に対する前記第２領域の傾斜角度は、前記中心軸線から離れるに従って大きくなる請求項６に記載の磁気記録ヘッド。
【請求項９】
記録層を有するディスク状の記録媒体と、
前記記録媒体を支持および回転する駆動部と、
前記記録媒体の記録層に対し情報処理を行う請求項１ないし８のいずれか１項に記載の磁気記録ヘッドと、
前記磁気記録ヘッドを前記記録媒体の径方向に沿って移動可能に支持するキャリッジアッセンブリと、
を備えるディスク装置。
【発明の詳細な説明】
【技術分野】
【０００１】
ここで述べる実施形態は、熱アシスト記録方式を採用した磁気記録ヘッド、およびこれを備えたディスク装置に関する。
【背景技術】
【０００２】
ディスク装置として、例えば、磁気ディスク装置は、ケース内に配設された記録媒体としての磁気ディスクと、磁気ディスクを支持および回転駆動するスピンドルモータと、磁気ディスクに対して情報のリード／ライトを行う磁気ヘッドと、を備えている。磁気ヘッドは、回動可能なヘッドアクチュエータに支持され、磁気ディスクの径方向に沿って移動および位置決めされる。
【０００３】
近年、磁気ディスク装置の高記録密度化、大容量化あるいは小型化を図るため、垂直磁気記録および熱アシスト磁気記録方式の磁気ヘッドが提案されている。この磁気ヘッドは、記録媒体の記録層に向かって近接場光を発生する近接場光発生素子と、近接場光発生用の光を伝播させるための導波路と、を備えている。この磁気ヘッドによれば、情報の書き込み時、近接場光発生素子の先端から発生する近接場光によって垂直磁気異方性を有する媒体記録層を局所的に加熱することで、記録層部分の保磁力が十分に低下し、高記録密度化が可能となる。
【先行技術文献】
【特許文献】
【０００４】
【特許文献１】特開２０１０−１２３２３２号公報
【特許文献２】特開２００７−２０７３４９号公報
【発明の概要】
【発明が解決しようとする課題】
【０００５】
磁気ディスクのトラック方向に沿った、近接場光発生素子による加熱スポットの中心と、主磁極端との距離（素子−磁極間距離）は、磁気ヘッドの回動位置に応じて、変化する。すなわち、磁気ヘッドの回動位置に応じて、スキュー角が変化することから、磁気ヘッドが、磁気ディスクの内周位置、中周位置、外周位置にあるときで、素子−磁極間距離が変化する。中周位置での距離を基準とすると、内周位置、および外周位置では、素子−磁極間距離が長くなる。
【０００６】
また、磁気ディスクに対する磁気記録ヘッドの移動速度、すなわち、磁気ディスクの周速、は、磁気ディスクの半径位置に応じて変化する。磁気ディスクの中周位置での周速を基準とすると、内周位置では周速が遅く、外周位置では周速が早くなる。
【０００７】
熱アシスト記録では、最適なＳ／Ｎ比を得る加熱スポット中心−磁極端間の媒体移動時間（（素子−磁極間距離）／周速）が存在する。しかしながら、前述の通り、磁気ディスクの内周位置、中周位置、外周位置のそれぞれで、素子−磁極間距離、および周速が異なるため、全ての半径位置で、最適な媒体移動時間、すなわち、最適な記録信号Ｓ／Ｎ比を得ることが困難となる。例えば、内周位置では、素子−磁極間距離が長く、かつ、周速が遅いため、媒体移動時間（（素子−磁極間距離）／周速）は、中周位置での媒体移動時間に比較して長くなり、最適なＳ／Ｎ比を得ることが困難となる。
【０００８】
この発明は以上の点に鑑みなされたもので、その課題は、記録媒体のどの半径位置においても最適な記録信号Ｓ／Ｎ比を得られ、トラック方向の記録特性が向上した磁気記録ヘッドおよびこれを備えたディスク装置を提供することにある。
【課題を解決するための手段】
【０００９】
実施形態によれば、磁気記録ヘッドは、ディスク状の記録媒体の記録層に対向する媒体対向面と、前記媒体対向面に一部が露出して設けられ、前記記録媒体を加熱する近接場光を発生させる近接場光発生素子と、前記媒体対向面に露出する先端面と前記近接場光発生素子に対向する磁極端面とを有し、前記記録媒体の記録層に記録磁界を印加する磁極と、を備えている。媒体対向面において、前記磁極端面は、近接場光発生素子の中心を通り媒体対向面の長手方向に延びる中心軸線に対して非対称に形成されている。
【図面の簡単な説明】
【００１０】
【図１】図１は、第１の実施形態に係るハードディスクドライブ（以下、ＨＤＤ）を示す平面図。
【図２】図２は、前記ＨＤＤにおける磁気ヘッドおよびサスペンションを示す側面図。
【図３】図３は、前記磁気ヘッドのヘッド部を拡大して示す断面図。
【図４】図４は、媒体中周位置における、前記磁気ヘッドの記録ヘッドの先端部を磁気ヘッドの上側から透過して模式的に示す平面図。
【図５】図５は、磁気ディスクの中周位置において磁気記録を行う際の、磁気ヘッドと記録トラックとの位置関係を示す平面図。
【図６】図６は、図５の状態での、加熱スポット中心、主磁極、記録トラックの位置関係を示す平面図。
【図７】図７は、磁気ディスク上の１ヶ所において、磁気ディスクが磁気ヘッドから受ける加熱および磁界の影響を時間軸に沿って示す図。
【図８】図８は、磁気ディスクの内周位置において磁気記録を行う際の、磁気ヘッドと記録トラックとの位置関係を示す平面図。
【図９】図９は、図８の状態での、加熱スポット中心、主磁極、記録トラックの位置関係を示す平面図。
【図１０】図１０は、磁気ディスク上の１ヶ所において、磁気ディスクが磁気ヘッドから受ける加熱および磁界の影響を時間軸に沿って示す図。
【図１１】図１１は、磁気ディスクの外周位置において磁気記録を行う際の、磁気ヘッドと記録トラックとの位置関係を示す平面図。
【図１２】図１２は、図１１の状態での、加熱スポット中心、主磁極、記録トラックの位置関係を示す平面図。
【図１３】図１３は、磁気ディスク上の１ヶ所において、磁気ディスクが磁気ヘッドから受ける加熱および磁界の影響を時間軸に沿って示す図。
【図１４】図１４は、第１の実施形態に係る記録ヘッドの主磁極および加熱スポット中心のダウントラック方向およびクロストラック方向の位置関係を示す図。
【図１５】図１５は、磁気ディスクの各半径位置における周速およびヘッドスキュー角度を示す図。
【図１６】図１６は、磁気ディスクの各半径における加熱スポット中心−磁極端面間の移動所要時間を示す図。
【図１７】図１７は、第２の実施形態に係る記録ヘッドの主磁極および加熱スポット中心のダウントラック方向およびクロストラック方向の位置関係を示す図。
【図１８】図１８は、第２の実施形態において、磁気ディスクの各半径における加熱スポット中心−磁極端面間の移動所要時間を示す図。
【図１９】図１９は、第３の実施形態に係る記録ヘッドの主磁極および加熱スポット中心のダウントラック方向およびクロストラック方向の位置関係を示す図。
【図２０】図２０は、第３の実施形態において、磁気ディスクの各半径における加熱スポット中心−磁極端面間の移動所要時間を示す図。
【図２１】図２１は、比較例に係る記録ヘッド、および、第１ないし第３の実施形態に係る記録ヘッドのそれぞれについて、磁気ディスクの各半径位置における信号Ｓ／Ｎ比を比較して示す図。
【発明を実施するための形態】
【００１１】
以下図面を参照しながら、実施形態について説明する。  
（第１の実施形態）  
図１は、第１の実施形態に係るＨＤＤのトップカバーを取り外して内部構造を示し、図２は、浮上状態の磁気ヘッドを示している。図１に示すように、ＨＤＤは筐体１０を備えている。この筐体１０は、上面の開口した矩形箱状のベース１２と、図示しない矩形板状のトップカバーとを備えている。トップカバーは、複数のねじによりベース１２にねじ止めされ、ベース１２の上端開口を閉塞している。ベース１２は、矩形状の底壁１２ａと、底壁の周縁に沿って立設された側壁１２ｂとを有している。
【００１２】
ベース１２の底壁１２ａには、記録媒体としての磁気ディスク１６および機構部が設けられている。機構部は、磁気ディスク１６を支持および回転させるスピンドルモータ１８、磁気ディスク１６に対して情報の記録、再生を行なう複数、例えば、２つの磁気ヘッド３３、これらの磁気ヘッド３３を磁気ディスク１６の表面に対して移動自在に支持したキャリッジアッセンブリ１４、キャリッジアッセンブリ１４を回動および位置決めするボイスコイルモータ（以下ＶＣＭと称する）２４を備えている。また、底壁１２ａ上には、磁気ヘッド３３が磁気ディスク１６の最外周に移動した際、磁気ヘッド３３を磁気ディスク１６から離間した位置に保持するランプロード機構２５、ＨＤＤに衝撃等が作用した際、キャリッジアッセンブリ１４を退避位置に保持するラッチ機構２８、およびコネクタ等の電子部品が実装された基板ユニット２１が設けられている。
【００１３】
ベース１２の外面には、図示しない制御回路基板がねじ止めされ。制御回路基板は、基板ユニット２１を介してスピンドルモータ１８、ＶＣＭ２４、および磁気ヘッド３３の動作を制御する。
【００１４】
図１に示すように、磁気ディスク１６は、スピンドルモータ１８のハブに互いに同軸的に嵌合されているとともにハブの上端にねじ止めされたクランプばね１９によりクランプされ、ハブに固定されている。磁気ディスク１６は、駆動モータとしてのスピンドルモータ１８により所定の速度で矢印Ａ方向に回転される。
【００１５】
キャリッジアッセンブリ１４は、ベース１２の底壁１２ａ上に固定された軸受部２６と、軸受部２６から延出した複数のアーム２７と、を備えている。これらのアーム２７は、磁気ディスク１６の表面と平行に、かつ、互いに所定の間隔を置いて位置しているとともに、軸受部２６から同一の方向へ延出している。複数のアーム２７は、軸受部２６のスリーブと一体に形成されたＥブロックで構成してもよい。
【００１６】
キャリッジアッセンブリ１４は、弾性変形可能な細長い板状のサスペンション３０を備えている。サスペンション３０は、板ばねにより構成され、その基端がスポット溶接あるいは接着によりアーム２７の先端に固定され、アームから延出している。各サスペンション３０は対応するアーム２７と一体に形成されていてもよい。各サスペンション３０の延出端に磁気ヘッド３３が支持されている。アーム２７およびサスペンション３０によりヘッドサスペンションを構成し、このヘッドサスペンションと磁気ヘッド３３とによりヘッドサスペンションアッセンブリを構成している。
【００１７】
図２に示すように、各磁気ヘッド３３は、ほぼ直方体形状のスライダ４２とこのスライダ４２の流出端（トレーリング端）に設けられた記録再生用のヘッド部４４とを有している。磁気ヘッド３３は、サスペンション３０の先端部に設けられたジンバルばね４１に固定されている。各磁気ヘッド３３は、サスペンション３０の弾性により、磁気ディスク１６の表面に向かうヘッド荷重Ｇが印加されている。２本のアーム２７は所定の間隔を置いて互いに平行に位置し、これらのアーム２７に取り付けられたサスペンション３０および磁気ヘッド３３は、磁気ディスク１６を間に挟んで互いに向かい合っている。
【００１８】
各磁気ヘッド３３は、サスペンション３０およびアーム２７上に固定された中継フレキシブルプリント回路基板（以下、中継ＦＰＣと称する）３５を介して基板ユニット２１に電気的に接続されている。
【００１９】
磁気ディスク１６が回転した状態でＶＣＭ２４のボイスコイルに通電することにより、キャリッジアッセンブリ１４が回動し、磁気ヘッド３３は磁気ディスク１６の所望のトラック上に移動および位置決めされる。この際、図１に２点鎖線で示すように、磁気ヘッド３３は、磁気ディスク１６の径方向に沿って、磁気ディスク１６の内周縁部と外周縁部との間を移動される。すなわち、磁気ヘッド３３は、磁気ディスク１６の表面上において、内周端側の内周位置、中間の中周位置、外周端側の外周位置の間を移動する。
【００２０】
次に、磁気ディスク１６および磁気ヘッド３３の構成について詳細に説明する。図３は、磁気ヘッド３３のヘッド部４４および磁気ディスク１６を拡大して示す断面図である。  
図１ないし図３に示すように、磁気ディスク１６は、例えば、直径約２．５インチ（６．２５ｃｍ）の円板状に形成され非磁性体からなる基板１０１を有している。基板１０１の各表面には、ディスク面に対して垂直方向に大きな異方性をもつ垂直記録層１０３と、その垂直記録層１０３の配向性を向上させるために垂直記録層１０３の下層部に配置された結晶配向層１０２と、加熱領域の広がりを抑制するために結晶配向層１０２の下層部に配置されたヒートシンク層１０４と、垂直記録層１０３の上部に配置された保護膜１０５と、が設けられている。
【００２１】
図２および図３に示すように、磁気ヘッド３３は浮上型のヘッドとして構成され、ほぼ直方体状に形成されたスライダ４２と、スライダの流出端（トレーリング）側の端部に形成されたヘッド部４４とを有している。スライダ４２は、例えば、アルミナとチタンカーバイドの焼結体（アルチック）で形成され、ヘッド部４４は薄膜を積層することにより形成されている。
【００２２】
スライダ４２は、磁気ディスク１６の表面に対向する矩形状の媒体対向面（空気支持面（ＡＢＳ））４３を有している。スライダ４２は、磁気ディスク１６の回転によってディスク表面とＡＢＳ４３との間に生じる空気流Ｂにより浮上する。空気流Ｂの方向は、磁気ディスク１６の回転方向Ａと一致している。スライダ４２は、磁気ディスク１６表面に対し、ＡＢＳ４３の長手方向が空気流Ｂの方向とほぼ一致するように配置されている。
【００２３】
スライダ４２は、空気流Ｂの流入側に位置するリーディング端４２ａおよび空気流Ｂの流出側に位置するトレーリング端４２ｂを有している。スライダ４２のＡＢＳ４３には、図示しないリーディングステップ、トレーリングステップ、サイドステップ、負圧キャビティ等が形成されている。
【００２４】
図３に示すように、ヘッド部４４は、スライダ４２のトレーリング端４２ｂに薄膜プロセスで形成された再生ヘッド５４および記録ヘッド（磁気記録ヘッド）５８を有し、分離型の磁気ヘッドとして形成されている。
【００２５】
再生ヘッド５４は、磁気抵抗効果を示す磁性膜５５と、この磁性膜のトレーリング側およびリーディング側に磁性膜５５を挟むように配置されたシールド膜５６、５７と、で構成されている。これら磁性膜５５、シールド膜５６、５７の下端は、スライダ４２のＡＢＳ４３に露出している。
【００２６】
図３に示すように、記録ヘッド５８は、再生ヘッド５４に対して、スライダ４２のトレーリング端４２ｂ側に設けられている。記録ヘッド５８は、磁気ディスク１６の表面に対して（記録層１０３に対して）垂直方向の記録磁界を発生させる高透磁率、高飽和磁束密度を有する軟磁性材料からなる主磁極６０と、主磁極６０のトレーリング側に配置および磁気的に接合され、主磁極６０に磁束を流す軟磁性材料からなるトレーリングヨーク６２と、トレーリングヨーク６２の上部（ＡＢＳ４３から離間する端部）を主磁極６０に物理的に接合する接合部６４と、主磁極６０に磁束を流すためにトレーリングヨークおよび主磁極を含む磁路に巻きつくように配置された記録コイル６６と、主磁極６０のリーディング側に配置され、磁気ディスク１６の記録層１０３を加熱する近接場光を発生させる近接場光発生素子（プラズモン・ジェネレータ、ニアフィールド・トランスデューサ）６５と、近接場光発生用の光を近接場光発生素子６５に伝播する導波路６８と、を備えている。主磁極６０の先端面６０ａ、トレーリングヨーク６２の先端面、近接場光発生素子６５の先端６５ａは、スライダ４２のＡＢＳ４３に露出し、面一に並んでいる。
【００２７】
記録コイル６６に供給する電流は、ＨＤＤの制御回路基板（制御部）２５によって制御される。磁気ディスク１６に信号を書き込む際、電源から記録コイル６６に所定の電流が供給され、主磁極６０に磁束を流し磁界を発生させる。また、光源として、レーザーダイオード７０から発生するレーザービームが導波路６８に入力され、この導波路６８を通して近接場光発生素子６５へ供給される。図３において、矢印Ｃは、磁気ディスク１６に対する磁気ヘッド３３の相対移動方向を示している。
【００２８】
図４は、記録ヘッドのＡＢＳ側端部を磁気ヘッドの上側から透過して模式的に示す平面図である。図３および図４に示すように、主磁極６０は、近接場光発生素子６５に対向する磁極端面６０ｂを有している。この磁極端面６０ｂは、ＡＢＳ４３からスライダ４２の奥に向かって、すなわち、ＡＢＳ４３から離れる方向に向かって延びている。本実施形態において、磁極端面６０ｂは、ＡＢＳ４３に対して垂直に延びている。また、近接場光発生素子６５はＡＢＳ４３に露出する先端部６５ａを有し、この先端部６５ａが加熱スポット中心Ｓとなる。
【００２９】
磁極端面６０ｂは、主磁極６０の幅方向（クロストラック方向）の中心および加熱スポット中心Ｓを通りスライダ４２の長手方向（磁気ディスク１６に対する磁気ヘッド３３の相対移動方向）に延びる中心軸線ＣＬに対して左右非対称に形成されている。本実施形態において、磁極端面６０ｂは平坦面により形成され、中心軸線ＣＬと直交するクロストラック方向に延びる平面ＣＴに対し角度θだけ傾斜している。具体的には、磁極端面６０ｂは、中心軸線ＣＬに対して、媒体内周方向ＩＮの領域では、加熱スポット中心Ｓからより離れる方向に傾斜し、媒体外周方向ＯＵＴの領域では、加熱スポット中心Ｓに近づく方向に傾斜している。角度θは、０°＜θ＜９０°の範囲で、磁気ディスク１６の径、周速等に応じて適宜設定する。
【００３０】
図３に示すように、導波路６８は、近接場光発生素子６５直上からスライダ４２の上端、すなわち、サスペンション側の端まで延びている。導波路６８のＡＢＳ４３側の端部（延出端部）は、近接場光発生素子６５と隙間を置いて対向している。導波路６８と近接場光発生素子６５との間には保護絶縁層７４が介在している。再生ヘッド５４および記録ヘッド５８は、スライダ４２のＡＢＳ４３に露出する部分を除いて、非磁性の保護絶縁膜７４により覆われている。保護絶縁膜７４は、スライダ４２の外形を構成している。
【００３１】
以上のように構成されたＨＤＤによれば、ＶＣＭ２４を駆動することにより、キャリッジアッセンブリ１４が回動し、磁気ヘッド３３は、磁気ディスク１６の所望のトラック上に移動され、位置決めされる。また、磁気ヘッド３３は、磁気ディスク１６の回転によってディスク表面とＡＢＳ４３との間に生じる空気流Ｂにより浮上する。ＨＤＤの動作時、スライダ４２のＡＢＳ４３はディスク表面に対し隙間を保って対向している。この状態で、磁気ディスク１６に対して、再生ヘッド５４により記録情報の読み出しを行うとともに、記録ヘッド５８により情報（信号）の書き込みを行う。
【００３２】
情報の書き込みにおいては、記録コイル６６により主磁極６０を励磁し、この主磁極６０から直下の磁気ディスク１６の記録層１０３に垂直方向の記録磁界を印加することにより、所望のトラック幅にて情報を記録する。また、レーザーダイオード７０から導波路６８を通して近接場光発生素子６５にレーザービームを供給し、近接場光発生素子６５から近接場光を発生する。近接場光発生素子６５の先端部６５ａから発生する近接場光によって磁気ディスク１６の記録層１０３を局所的に加熱することで、記録層部分の保磁力を低下させる。この保磁力低下領域に、主磁極６０からの記録磁界を印加し、信号を書き込む。このように、記録層１０３部分を局所的に加熱して保磁力を十分に低下した領域に信号を書き込むことにより、高密度記録が可能となる。
【００３３】
本実施形態に係る磁気記録ヘッド５８においては、主磁極６０の磁極端面６０ｂの形状をスライダ４２の長手方向（中心軸線ＣＬ）に対して非対称にすることで、近接場光発生素子６５による加熱スポットの中心Ｓと、磁極端面６０ｂと中心軸線ＣＬが交わる点との距離Ｌを、磁気ヘッドのスキュー角に応じて変化させる。変化の量は、磁気ディスク１６の中周位置を基準として、内周側：距離Ｌを短く、外周側：距離Ｌを長くしている。
【００３４】
熱アシスト記録では、記録信号の最適なＳ／Ｎ比を得る加熱スポット中心Ｓ−磁極端面間の媒体移動時間Ｔが存在するが、この時間は、磁気ディスクの移動速度（周速）により変化する。そのため、従来の磁気記録ヘッドでは、(周速に従い)中周位置を基準とすると、内周側：移動時間Ｔが大、外周側：移動時間Ｔが小となる。これに対して、本実施形態によれば、内周側：距離Ｌ短/周速小、外周側：距離Ｌ長/周速大となるため、磁気ディスクの内周/中周/外周での媒体移動時間Ｔのズレが小さくなる。これにより、本実施形態に係る磁気記録ヘッドでは、磁気ディスク１６のどの半径位置においても、最適な記録信号Ｓ／Ｎ比となる媒体移動時間Ｔに近い状態での記録が可能となる。
【００３５】
図５は、磁気ディスク１６の中周位置において熱アシスト磁気記録を行う際の、磁気ヘッド３３と記録トラック５０との位置関係を示し、図６は、図５の状態での、加熱スポット中心Ｓ、主磁極６０、記録トラック５０の位置関係を示している。この時、磁気ヘッド３３の長手方向（ヘッドスライダ４２の長手方向、中心軸線ＣＬ）は、磁気ヘッド３３の相対移動方向Ｃと一致している。記録トラック５０は、スライダ４２の長手方向に沿って記録されるため、記録が行われる加熱スポット中心Ｓと磁極端面６０ｂとの距離Ｌは、スライダ４２の長手方向に沿った距離そのままとなる。
【００３６】
図７は、磁気ディスク１６上の１ヶ所において、磁気ディスクが磁気ヘッド３３から受ける加熱および磁界の影響を時間軸に沿って示している。図に示すように、磁気記録時、磁気ディスク１６の記録層１０３の記録領域は、先に近接場光により加熱されて保磁力が低下し、その後に主磁極６０から記録磁界Ｍを受けて信号書込みが成される。磁気ディスク１６の記録層１０３は、加熱された後、冷却される際に保磁力が上昇し、記録ヘッド５８から受ける記録磁界Ｍを超えた時点で、その位置での熱アシスト磁気記録が完了する。この位置を便宜的に交点Ｘ１で示す。図７の状態を最適な記録信号Ｓ／Ｎ比が得られる状態として考える。図７において、距離Ｌ／(ディスク周速)が小さくなると、記録磁界Ｍは時間的に前方に移動し、距離Ｌ／(ディスク周速)が大きくなると、記録磁界Ｍは時間的に後方に移動する。その結果、交点Ｘが移動、すなわち最適位置からずれてしまう。
【００３７】
次に、図５ないし図７に示した中周位置での熱アシスト磁気記録の状態を基準および最適として、内周位置および外周位置での磁気記録を比較評価する。  
図８は、磁気ディスク１６の内周位置において熱アシスト磁気記録を行う際の、磁気ヘッド３３と記録トラック５０との位置関係を示し、図９は、図８の状態での、加熱スポット中心Ｓ、主磁極６０、記録トラック５０の位置関係を示している。この時、磁気ヘッド３３の長手方向（ヘッドスライダ４２の長手方向、中心軸線ＣＬ）は、磁気ヘッド３３の相対移動方向Ｃに対して、流出端（図８での上部)が磁気ディスク中心方向（図８での左側)を向き、相対移動方向Ｃと交差する。
【００３８】
記録トラック５０に対して、主磁極６０は磁気ディスク１６の内周側に傾くため、記録トラック５０上の磁極端面６０ｂの中心（中心軸線ＣＬとの交点）は、図６に示す位置よりも内周側に移動する。磁気記録が行われる距離Ｌは、図６に示す中周位置での距離Ｌよりも短くなる。同時に、磁気ディスク１６の周速は、中周位置よりも内周位置で小さくなるため、距離Ｌ／（周速）は、相殺され、中周位置における距離Ｌ／（周速）とほぼ等しくなる。
【００３９】
図１０は、図９に示す状態での磁気ディスク１６上の１ヶ所において、磁気ディスク１６が磁気ヘッド３３から受ける加熱および磁界の影響を時間軸に沿って示している。図に示すように、磁気記録時、磁気ディスク１６の記録層１０３の記録領域は、先に近接場光により加熱されて保磁力が低下し、その後に主磁極６０から記録磁界Ｍを受けて信号書込みが成される。磁気ディスク１６の記録層１０３は、加熱された後、冷却される際に保磁力が上昇し、記録ヘッド５８から受ける記録磁界Ｍを超えた時点で、その位置での熱アシスト磁気記録が完了する。この位置を便宜的に交点Ｘ２で示す。
【００４０】
前述したように、内周位置での距離Ｌ／（周速）は、中周位置での距離Ｌ／（周速）とほぼ一致することから、交点Ｘ２も図７に示した交点Ｘ１とほぼ等しい位置となる。距離Ｌおよび周速は、同比率で増減するとは限らないため、交点Ｘ２が交点Ｘ１と異なる可能性はあるが、そのずれ量は従来の磁気ヘッドよりも大幅に小さい。従って、磁気ディスク１６の内周位置においても、最適な記録信号Ｓ／Ｎ比にて、熱アシスト磁気記録を行うことができる。
【００４１】
図１１は、磁気ディスク１６の外周位置において熱アシスト磁気記録を行う際の、磁気ヘッド３３と記録トラック５０との位置関係を示し、図１２は、図１１の状態での、加熱スポット中心Ｓ、主磁極６０、記録トラック５０の位置関係を示している。この時、磁気ヘッド３３の長手方向（ヘッドスライダ４２の長手方向、中心軸線ＣＬ）は、磁気ヘッド３３の相対移動方向Ｃに対して、流出端（図１２での上部)が磁気ディスク中心と反対方向（図１２での右側)を向き、相対移動方向Ｃと交差する。
【００４２】
記録トラック５０に対して、主磁極６０は磁気ディスク１６の外周側に傾くため、記録トラック５０上の磁極端面６０ｂの中心（中心軸線ＣＬとの交点）は、図６に示す位置よりも外周側に移動する。磁気記録が行われる距離Ｌは、図６に示す中周位置での距離Ｌよりも長くなる。同時に、磁気ディスク１６の周速は、中周位置よりも外周位置で大きくなるため、外周位置での距離Ｌ／（周速）は、相殺され、中周位置における距離Ｌ／（周速）とほぼ等しくなる。
【００４３】
図１３は、図１２に示す状態での磁気ディスク１６上の１ヶ所において、磁気ディスク１６が磁気ヘッド３３から受ける加熱および磁界の影響を時間軸に沿って示している。図に示すように、磁気記録時、磁気ディスク１６の記録層１０３の記録領域は、先に近接場光により加熱されて保磁力が低下し、その後に主磁極６０から記録磁界Ｍを受けて信号書込みが成される。磁気ディスク１６の記録層１０３は、加熱された後、冷却される際に保磁力が上昇し、記録ヘッド５８から受ける記録磁界Ｍを超えた時点で、その位置での熱アシスト磁気記録が完了する。この位置を便宜的に交点Ｘ３で示す。
【００４４】
前述したように、外周位置での距離Ｌ／（周速）は、中周位置での距離Ｌ／（周速）とほぼ一致することから、交点Ｘ３も図７に示した交点Ｘ１とほぼ等しい位置となる。距離Ｌおよび周速は、同比率で増減するとは限らないため、交点Ｘ３が交点Ｘ１と異なる可能性はあるが、そのずれ量は従来の磁気ヘッドよりも大幅に小さい。従って、磁気ディスク１６の外周位置においても、最適な記録信号Ｓ／Ｎ比にて、熱アシスト磁気記録を行うことができる。
【００４５】
図１４は、第１の実施形態に係る記録ヘッドの主磁極、および加熱スポット中心のダウントラック方向およびクロストラック方向の位置関係を示している。図１５に示すように、ＨＤＤの条件は、磁気ディスクの回転数５４００ｒｐｍ、磁気ヘッドのスキュー角：最内周（Ｒ＝１４ｍｍ）で＋１７°、中周（Ｒ＝２２ｍｍ）で０°、最外周（Ｒ＝３３ｍｍ）で−１７°として、各半径位置での周速、スキュー角を計算している。
【００４６】
図１４に示すように、加熱スポット中心Ｓに対して、スライダの長手方向（ダウントラック方向）の距離Ｌが１００ｎｍの位置に磁極端面６０ｂを持つ主磁極６０であるとする。この時、磁気ディスクの各半径における加熱スポット中心Ｓ−磁極端面６０ｂ間の移動所要時間を計算すると、図１６に示すようになる。従来構造（比較例）の記録ヘッドでは、内周位置、中周位置、外周位置、との加熱スポット中心Ｓ−磁極端面６０ｂ間の移動所要時間のズレＤは、約６．２ｎｓであるのに対して、図１６に示すように、上記構成の記録ヘッドでは、内周/中周/外周での移動所要時間のズレＤが約２．５ｎｓであり、大幅に短縮していることが分かる。
【００４７】
以上のように構成されたＨＤＤによれば、記録する半径位置によらず、媒体の内周／中周／外周のいずれにおいても、最適な信号品質が得られるタイミングで磁気記録することが可能となる。これにより、記録媒体のどの半径位置においても最適な記録信号Ｓ／Ｎ比が得られ、トラック方向の記録特性が向上した磁気記録ヘッドおよびこれを備えたディスク装置を提供することができる。
【００４８】
次に、他の実施形態に係るＨＤＤおよび磁気記録ヘッドについて説明する。なお、以下に述べる他の実施形態において、前述した第１の実施形態と同一の部分には、第１の実施形態と同一の参照符号を付して、その詳細な説明を省略する。
【００４９】
（第２の実施形態）  
図１７は、第２の実施形態に係るＨＤＤにおける記録ヘッドの主磁極、および加熱スポット中心のダウントラック方向およびクロストラック方向の位置関係を示している。
【００５０】
図１７に示すように、第２の実施形態によれば、ＨＤＤの記録ヘッド５８において、近接場光発生素子６５と対向する主磁極６０の磁極端面６０ｂは、主磁極６０の幅方向（クロストラック方向）の中心および加熱スポット中心Ｓを通りスライダの長手方向（磁気ディスク１６に対する磁気ヘッドの相対移動方向）に延びる中心軸線ＣＬに対して左右非対称に形成されている。磁極端面６０ｂは中央部で屈曲した平坦面により形成され、中心軸線ＣＬと磁極端面６０ｂとの交点を通り中心軸線ＣＬと直交するクロストラック方向に延びる平面ＣＴに対し傾斜している。具体的には、磁極端面６０ｂにおいて、中心軸線ＣＬに対して、媒体内周方向の第１領域６０（ＩＮ）は、加熱スポット中心Ｓからより離れるように角度θ１だけ傾斜し、媒体外周方向の第２領域６０（ＯＵＴ）は、加熱スポット中心Ｓにより近づく方向に角度θ２だけ傾斜している。角度θ１、θ２は、０°＜θ１、θ２＜９０°の範囲で、磁気ディスクの径、周速等に応じて適宜設定する。また、傾斜角度θ１、θ２は、互いに異なる角度に形成され、傾斜角度θ２は、傾斜角度θ１よりも大きく（θ１＜θ２）設定されている。
【００５１】
図１７に示すように、加熱スポット中心Ｓに対して、スライダの長手方向（中心軸線ＣＬの方向）に沿った、加熱スポット中心Ｓから磁極端面６０ｂまでの距離Ｌが１００ｎｍの主磁極６０であるとする。この時、磁気ディスクの各半径における加熱スポット中心Ｓ−磁極端面６０ｂ間の移動所要時間を計算すると、図１８に示すようになる。ＨＤＤの条件は、図１５に示した条件と同一であるとして、各半径位置での周速、スキュー角を計算している。図１８から、第２の実施形態に係る磁気記録ヘッド５８では、従来構造の記録ヘッドに比較して、内周／中周／外周での移動所要時間ズレＤが短縮していることが分かる。また、第１の実施形態に係る磁気記録ヘッド（図１６参照）と比較しても、内周／中周／外周での移動所要時間ズレＤが更に短縮していることが分かる。  
第２の実施形態において、磁気ヘッド３３およびＨＤＤの他の構成は、前述した第１の実施形態と同一である。上記のように構成された第２の実施形態においても、記録媒体のどの半径位置においても最適な記録信号Ｓ／Ｎ比が得られ、トラック方向の記録特性が向上した磁気記録ヘッドおよびこれを備えたディスク装置を提供することができる。
【００５２】
（第３の実施形態）  
図１９は、第３の実施形態に係るＨＤＤにおける記録ヘッドの主磁極、および加熱スポット中心のダウントラック方向およびクロストラック方向の位置関係を示している。  
図１９に示すように、第３の実施形態によれば、ＨＤＤの記録ヘッド５８において、近接場光発生素子６５と対向する主磁極６０の磁極端面６０ｂは、主磁極６０の幅方向（クロストラック方向）の中心および加熱スポット中心Ｓを通りスライダの長手方向（磁気ディスク１６に対する磁気ヘッドの相対移動方向）に延びる中心軸線ＣＬに対して左右非対称に形成されている。磁極端面６０ｂは近接場光発生素子６５側を凹とする湾曲面により形成され、中心軸線ＣＬと磁極端面６０ｂとの交点を通り中心軸線ＣＬと直交するクロストラック方向に延びる平面ＣＴに対し傾斜している。
【００５３】
具体的には、磁極端面６０ｂにおいて、中心軸線ＣＬに対して、媒体内周側の第１領域６０（ＩＮ）は、加熱スポット中心Ｓからより離れるように角度θ１だけ傾斜し、媒体外周側の第２領域６０（ＯＵＴ）は、加熱スポット中心Ｓにより近づく方向に角度θ２だけ傾斜している。角度θ１、θ２は、０°＜θ１、θ２＜９０°の範囲で、磁気ディスクの径、周速等に応じて適宜設定する。また、傾斜角度θ１、θ２は、互いに異なる角度に形成され、傾斜角度θ２は、傾斜角度θ１よりも大きく（θ１＜θ２）設定されている。
【００５４】
更に、磁極端面６０ｂは湾曲面で形成されていることから、媒体内周側の第１領域６０（ＩＮ）は、中心軸線ＣＬから離れるにつれて、平面ＣＴに対する傾斜角が小さくなり、媒体外周側の第２領域６０（ＯＵＴ）は、中心軸線ＣＬから離れるにつれて、平面ＣＴに対する傾斜角が大きくなる。
【００５５】
図１９に示すように、スライダの長手方向（中心軸線ＣＬの方向）に沿った、加熱スポット中心Ｓから磁極端面６０ｂまでの距離Ｌが１００ｎｍの主磁極６０であるとする。この時、磁気ディスクの各半径位置における加熱スポット中心Ｓ−磁極端面６０ｂ間の移動所要時間を計算すると、図２０に示すようになる。ＨＤＤの条件は、図１５に示した条件と同一であるとして、各半径位置での周速、スキュー角を計算している。図２０から、第３の実施形態に係る磁気記録ヘッド５８では、従来構造の記録ヘッドに比較して、内周／中周／外周での移動所要時間ズレＤが短縮していることが分かる。また、第１および第２の実施形態に係る磁気記録ヘッド（図１６、図１８参照）と比較しても、内周／中周／外周での移動所要時間ズレＤが更に短縮していることが分かる。  
第３の実施形態において、磁気ヘッド３３およびＨＤＤの他の構成は、前述した第１の実施形態と同一である。上記のように構成された第３の実施形態においても、記録媒体のどの半径位置においても最適な記録信号Ｓ／Ｎ比が得られ、トラック方向の記録特性が向上した磁気記録ヘッドおよびこれを備えたディスク装置を提供することができる。
【００５６】
図２１は、従来構造（比較例）の記録ヘッド、および第１、第２、第３の実施形態に係る記録ヘッドについて、媒体の半径位置に対する記録信号のＳ／Ｎ比の見積もりを比較して示している。いずれもの記録ヘッドも、磁気ディスクのＲ＝２１．６ｍｍの位置で最適なＳ／Ｎ比となるように調整されていると仮定している。比較例の記録ヘッドでは、磁気ディスクの内周側、および外周側に行くほどＳ／Ｎ比が低下（結果としてエラーレート低下）しているが、各実施形態に係る記録ヘッドでは、いずれもＳ／Ｎ比の低下量が比較例よりも小さいことが分かる。 
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５７】
例えば、ヘッド部を構成する要素の材料、形状、大きさ等は、必要に応じて変更可能である。また、磁気ディスク装置において、磁気ディスクおよび磁気ヘッドの数は、必要に応じて増加可能であり、磁気ディスクのサイズも種々選択可能である。主磁極の磁極端面は、平坦面あるいは湾曲面に限らず、複数のステップ状に屈曲した端面としてもよい。
【符号の説明】
【００５８】
１０…筺体、１２…ベース、１４…キャリッジアッセンブリ、１６…磁気ディスク、
１８…スピンドルモータ、３３…磁気ヘッド、４２…スライダ、
４３…媒体対向面（ＡＢＳ）、４４…ヘッド部、５４…再生ヘッド、５８…記録ヘッド、
６０…主磁極、６０ａ…先端面、６０ｂ…磁極端面、６２…トレーリングヨーク、
６５…近接場光発生素子、６５ａ…先端部、６６…導波路、Ｓ…加熱スポット中心
【図１】
2015082334.tif 000003
【図２】
2015082334.tif 000004
【図３】
2015082334.tif 000005
【図４】
2015082334.tif 000006
【図５】
2015082334.tif 000007
【図６】
2015082334.tif 000008
【図７】
2015082334.tif 000009
【図８】
2015082334.tif 000010
【図９】
2015082334.tif 000011
【図１０】
2015082334.tif 000012
【図１１】
2015082334.tif 000013
【図１２】
2015082334.tif 000014
【図１３】
2015082334.tif 000015
【図１４】
2015082334.tif 000016
【図１５】
2015082334.tif 000017
【図１６】
2015082334.tif 000018
【図１７】
2015082334.tif 000019
【図１８】
2015082334.tif 000020
【図１９】
2015082334.tif 000021
【図２０】
2015082334.tif 000022
【図２１】
2015082334.tif 000023